(57)【要約】      （修正有）【課題】実空間に存在する書籍のページをめくるような操作感をユーザーに提供しつつ電子書籍の複数のページの中から目的のページを捜す際のユーザーの負担を軽減できる表示装置を提供する。【解決手段】表示装置１０は、電子書籍の複数のページが起立した状態又は選択されたページが表示面に対して平行な状態で表示される表示部２１０と、表示部２１０への接触点を検出するタッチパネル２２０と、検索モードにおいて接触点が移動したことに応じて降順方向にページをめくり、移動した接触点が停止したことに応じてページをめくることを停止し、停止した接触点と異なる接触点が移動したことに応じて接触点が停止する前のめくり速度と異なるめくり速度でページをめくり、閲覧モードにおいて単数の接触点が移動したことに応じて昇順方向にページをめくり、複数の接触点が検出されたことに応じて検索モードへ切り替える表示制御部１００とを備える。【選択図】図１
2015111394.tif 000002
【特許請求の範囲】
【請求項１】
検索モード及び閲覧モードを有する表示装置であって、
前記検索モードにおいて、電子書籍の複数のページが起立した状態で表示される表示部と、
前記表示部の表示面への単数又は複数の接触点を検出する検出部と、
前記検索モードにおいて、前記複数の接触点のうちいずれかの接触点が移動したことに応じて第１方向に前記ページをめくり、前記移動した接触点が停止したことに応じて前記ページをめくることを停止する表示制御部と
を備え、
前記検索モードにおいて、前記表示制御部は、前記複数の接触点のうち前記停止した接触点と異なる接触点が移動したことに応じて、前記接触点が停止する前のめくり速度と異なるめくり速度で前記ページをめくり、
前記めくり速度は、単位時間当たりにめくられる前記ページの数であり、
前記閲覧モードにおいて、前記表示部には、前記複数のページから選択されたページが前記表示面に対して平行な状態で表示され、
前記閲覧モードにおいて、前記検出部が前記単数の接触点を検出した場合、前記表示制御部は、前記単数の接触点が移動したことに応じて前記第１方向と逆の第２方向に前記ページをめくり、
前記表示制御部は、前記閲覧モードにおいて前記検出部が前記複数の接触点を検出したことに応じて、モードを前記閲覧モードから前記検索モードへ切り替える、表示装置。
【請求項２】
前記異なるめくり速度は、前記接触点が停止する前の前記めくり速度より小さい、請求項１に記載の表示装置。
【請求項３】
前記表示制御部は、前記検索モードにおいて前記検出部が前記複数の接触点を検出した状態から前記複数の接触点を検出しない状態への遷移を検出したことに応じて、モードを前記検索モードから前記閲覧モードへ切り替える、請求項１または請求項２に記載の表示装置。
【請求項４】
前記表示制御部は、前記接触点の移動量が閾値以上であると判定したことに応じて前記ページをめくる、請求項１から請求項３のいずれか１項に記載の表示装置。
【請求項５】
前記複数の接触点は、２つの接触点である、請求項１から請求項４のいずれか１項に記載の表示装置。
【請求項６】
前記検索モードにおいて、前記表示制御部は、前記表示部に前記ページのページ番号を表示させる、請求項１から請求項５のいずれか１項に記載の表示装置。
【請求項７】
請求項１から請求項６のいずれか１項に記載の表示装置と、
前記複数のページから選択されたページの画像をシートに形成する画像形成部と
を備える、画像形成装置。
【請求項８】
検索モード及び閲覧モードを有する表示装置が実行する表示制御方法であって、
前記検索モードにおいて、電子書籍の複数のページを起立した状態で前記表示装置の表示部に表示する手順と、
前記表示部の表示面への単数又は複数の接触点を検出する手順と、
前記検索モードにおいて、前記複数の接触点のうちいずれかの接触点が移動したことに応じて第１方向に前記ページをめくる手順と、
前記検索モードにおいて、前記移動した接触点が停止したことに応じて前記ページをめくることを停止する手順と、
前記検索モードにおいて、前記複数の接触点のうち前記停止した接触点と異なる接触点が移動したことに応じて、前記接触点が停止する前のめくり速度と異なるめくり速度で前記ページをめくる手順と、
前記閲覧モードにおいて、前記複数のページから選択されたページを前記表示面に対して平行な状態で前記表示部に表示する手順と、
前記閲覧モードにおいて、前記単数の接触点が検出された場合、前記単数の接触点が移動したことに応じて前記第１方向と逆の第２方向に前記ページをめくる手順と、
前記閲覧モードにおいて前記複数の接触点を検出したことに応じて、モードを前記閲覧モードから前記検索モードへ切り替える手順と
を含み、
前記めくり速度は、単位時間当たりにめくられる前記ページの数である、表示制御方法。
【発明の詳細な説明】
【技術分野】
【０００１】
本発明は、複数のページを表示する表示装置、画像形成装置、及び表示制御方法に関する。
【背景技術】
【０００２】
特許文献１に記載の携帯端末では、１つの画像ファイル（ページ）がタッチパネルに表示されているときに、タッチパネルが１本の指を用いたフリック操作を検出すると、１ファイル分移動した画像ファイルが表示される。一方、タッチパネルが３本の指を用いたフリック操作を検出すると、３ファイル分移動した画像ファイルが表示される。
【０００３】
特許文献２に記載の電子ブック装置では、電子書籍を構成する各ページ及び電子書籍の小口画像を表示する。電子ブック装置は、表示された小口画像に対する所定の操作を受け付け、受け付けた所定の操作に基づいて表示するページを特定する。電子ブック装置には、特定されたページが表示される。小口画像に対する所定の操作は、例えばスライド操作であり、スライド操作の位置と速度とに応じて変更ページ情報を特定する。
【先行技術文献】
【特許文献】
【０００４】
【特許文献１】特開２０１１−１７０６０３号公報
【特許文献２】特開２０１２−０８８８０１号公報
【発明の概要】
【発明が解決しようとする課題】
【０００５】
しかしながら、特許文献１に記載の携帯端末では、目的の画像ファイルが表示中の画像ファイルから何ファイル分先か又は後かをユーザーが把握していない場合は、ユーザーは、やみくもに画像ファイルを表示させることになり、目的の画像ファイルを捜す際の負担は大きい。しかも、移動可能な画像ファイルの数は、指の数（５本）に制限される。従って、５ファイルを超える移動を行う場合、ユーザーには、繰り返し操作が要求され、目的の画像ファイルを捜す際の負担が一層増大する。
【０００６】
また、特許文献２に記載の電子ブック装置では、ユーザーは、小口画像の表示された位置で所定の操作を行わなければならない。さらに、電子ブック装置は、ユーザーが電子書籍のページをめくるときに、実空間に存在する書籍のページをめくるように指で小口を押さえつつページをめくるような操作感を提供することができない。
【０００７】
本発明は、上記課題に鑑みてなされたものであり、実空間に存在する書籍のページをめくるような操作感をユーザーに提供しつつ電子書籍の複数のページの中から目的のページを捜す際のユーザーの負担を軽減できる表示装置、画像形成装置、及び表示制御方法を提供することを目的としている。
【課題を解決するための手段】
【０００８】
本発明の第１の観点によれば、表示装置は、検索モード及び閲覧モードを有する。表示装置は、表示部と、検出部と、表示制御部とを備える。表示部は、検索モードにおいて、電子書籍の複数のページが起立した状態で表示される。検出部は、前記表示部の表示面への複数の接触点を検出する。表示制御部は、前記検索モードにおいて、前記複数の接触点のうちいずれかの接触点が移動したことに応じて第１方向に前記ページをめくり、前記移動した接触点が停止したことに応じて前記ページをめくることを停止する。前記検索モードにおいて、前記表示制御部は、前記複数の接触点のうち前記停止した接触点と異なる接触点が移動したことに応じて、前記接触点が停止する前のめくり速度と異なるめくり速度で前記ページをめくる。めくり速度は、単位時間当たりにめくられる前記ページの数である。前記閲覧モードにおいて、前記表示部には、前記複数のページから選択されたページが前記表示面に対して平行な状態で表示される。前記閲覧モードにおいて、前記検出部が前記単数の接触点を検出した場合、前記表示制御部は、前記単数の接触点が移動したことに応じて前記第１方向と逆の第２方向に前記ページをめくる。前記表示制御部は、前記閲覧モードにおいて前記検出部が前記複数の接触点を検出したことに応じて、モードを前記閲覧モードから前記検索モードへ切り替える。
【０００９】
本発明の第２の観点によれば、画像形成装置は、本発明の第１の観点に係る表示装置と画像形成部とを備える。画像形成部は、前記複数のページのうち選択されたページの画像をシートに形成する。
【００１０】
本発明の第３の観点によれば、表示制御方法は、検索モード及び閲覧モードを有する表示装置に実行される。表示制御方法は、前記検索モードにおいて、電子書籍の複数のページを起立した状態で表示する手順と、表示部の表示面への単数又は複数の接触点を検出する手順と、前記検索モードにおいて、前記複数の接触点のうちいずれかの接触点が移動したことに応じて第１方向に前記ページをめくる手順と、前記検索モードにおいて、前記移動した接触点が停止したことに応じて前記ページをめくることを停止する手順と、前記検索モードにおいて、前記複数の接触点のうち前記停止した接触点と異なる接触点が移動したことに応じて、前記接触点が停止する前のめくり速度と異なるめくり速度で前記ページをめくる手順と、前記閲覧モードにおいて、前記複数のページから選択されたページを表示面に対して平行な状態で前記表示部に表示する手順と、前記閲覧モードにおいて、前記単数の接触点が検出された場合、前記単数の接触点が移動したことに応じて前記第１方向と逆の第２方向に前記ページをめくる手順と、前記閲覧モードにおいて前記複数の接触点を検出したことに応じて、モードを前記閲覧モードから前記検索モードへ切り替える手順とを含む。前記めくり速度は、単位時間当たりにめくられる前記ページの数である。
【発明の効果】
【００１１】
本発明によれば、接触点の移動に応じてページがめくられ、停止した接触点と異なる接触点の移動に応じてめくり速度が変更される。従って、ユーザーは、表示面上で指を動かしてページをめくり、表示面上で使用する指を変更することによってめくり速度を変更できる。その結果、実空間に存在する書籍のページをめくるような操作感をユーザーに提供しつつ電子書籍の複数のページの中から目的のページを捜す際のユーザーの負担を軽減できる。
【図面の簡単な説明】
【００１２】
【図１】本発明の実施形態１に係る表示装置を示すブロック図である。
【図２】（ａ）〜（ｄ）本発明の実施形態１に係る表示装置が実行するページめくり及び表示装置の操作手順を説明する図である。
【図３】（ａ）〜（ｄ）本発明の実施形態１に係る表示装置が実行するページめくり及び表示装置の操作手順を説明する図である。
【図４】本発明の実施形態１に係る表示装置が実行する表示制御方法の前段を示すフローチャートである。
【図５】本発明の実施形態１に係る表示装置が実行する表示制御方法の中段を示すフローチャートである。
【図６】本発明の実施形態１に係る表示装置が実行する表示制御方法の後段を示すフローチャートである。
【図７】本発明の実施形態２に係る画像形成装置を示すブロック図である。
【発明を実施するための形態】
【００１３】
以下、本発明の実施形態について、図面を参照しながら説明する。なお、図中、同一または相当部分については同一の参照符号を付して説明を繰り返さない。
【００１４】
（実施形態１）
［基本原理］
図１〜図３を参照して、本発明の実施形態１に係る表示装置１０の基本原理を説明する。図１は、表示装置１０を示すブロック図である。図２（ａ）〜図２（ｄ）及び図３（ａ）〜図３（ｄ）は、表示装置１０が実行するページめくり及び表示装置１０の操作手順を説明する図である。図１〜図３に示すように、表示装置１０は、表示制御部１００と、表示部２１０と、検出部としてのタッチパネル２２０とを備える。
【００１５】
表示装置１０は、検索モード及び閲覧モードを有する。具体的には、表示制御部１００は、検索モード及び閲覧モードを有する。表示部２１０は複数のページＰを含む電子書籍２０を表示する。例えば、複数の電子書籍から１つの電子書籍２０を選択すると、選択された電子書籍２０が表示部２１０に表示される。各ページＰには情報が含まれる。情報は、例えば、文字、数字、記号、図形、絵、写真、テキスト、又は画像である。なお、複数のページＰは、画像群であってもよい。タッチパネル２２０は、表示部２１０の表示面への単数又は複数の接触点を検出する。実施形態１では、タッチパネル２２０は、表示部２１０の表示面への接触点Ｔ１０及び／又は接触点Ｔ１２を検出する。
【００１６】
閲覧モードの表示装置１０の動作を説明する。図２（ａ）に示すように、表示部２１０には、複数のページＰから選択されたページＰが表示面に対して平行な状態で表示される。図２（ｂ）に示すように、タッチパネル２２０が単数の接触点Ｔ１０を検出した場合、表示制御部１００は、単数の接触点Ｔ１０が移動したこと（矢印Ａ８参照）に応じて降順方向Ｃ２（第１方向）と逆の昇順方向Ｃ１（第２方向）にページＰをめくる。降順方向は、ページＰの進行方向を示し、複数のページＰの先頭のページＰに向かう方向である。昇順方向は、ページＰの進行方向を示し、複数のページＰの末尾のページＰに向かう方向である。
【００１７】
図２（ｃ）に示すように、タッチパネル２２０が接触点Ｔ１０の消失又は停止を検出した場合、表示制御部１００は、ページＰをめくることを停止する。図２（ｄ）に示すように、表示制御部１００は、タッチパネル２２０が複数の接触点Ｔ１０及び接触点Ｔ１２を検出したことに応じて、モードを閲覧モードから検索モードへ切り替える。
【００１８】
図２（ａ）〜図２（ｃ）に示すように、閲覧モードでは、表示部２１０には、複数のページＰから選択されたページＰが表示面に対して平行な状態で表示される（平行状態でのページＰの表示）。従って、ユーザーは、ページＰに含まれる情報の閲覧又は注視が容易になる。以上、閲覧モードの表示装置１０の動作が説明された。
【００１９】
検索モードの表示装置１０の動作を説明する。図２（ｄ）に示すように、表示部２１０には、電子書籍の複数のページＰが起立した状態で表示される。図３（ａ）に示すように、表示制御部１００は、複数の接触点Ｔ１０及び接触点Ｔ１２のうちいずれかの接触点（図３（ａ）では接触点Ｔ１０）が移動したこと（矢印Ａ１０参照）に応じて降順方向Ｃ２にページＰをめくる。表示制御部１００は、移動した接触点Ｔ１０が停止したことに応じてページＰをめくることを停止する。
【００２０】
図３（ｂ）に示すように、表示制御部１００は、複数の接触点Ｔ１０及び接触点Ｔ１２のうち停止した接触点Ｔ１０と異なる接触点Ｔ１２が移動したこと（矢印Ａ１２参照）に応じて、接触点Ｔ１０が停止する前のめくり速度Ｖ１０と異なるめくり速度Ｖ１２で降順方向Ｃ２にページＰをめくる。めくり速度Ｖ１０及びめくり速度Ｖ１２の各々は、単位時間当たりにめくられるページＰの数である。例えば、異なるめくり速度Ｖ１２は、接触点Ｔ１０が停止する前のめくり速度Ｖ１０より小さいことが好ましい。ただし、異なるめくり速度Ｖ１２は、接触点Ｔ１０が停止する前のめくり速度Ｖ１０より速くてもよい。
【００２１】
図２（ｄ）、図３（ａ）、及び図３（ｂ）に示すように、検索モードでは、電子書籍２０が起立した状態で表示されるため、めくられるページＰは傾斜した状態で表示される（傾斜状態でのページＰの表示）。ユーザーは、ページＰに含まれる情報を視認しながら、ページＰをめくり、目的のページＰを捜すことができる。以上、検索モードの表示装置１０の動作が説明された。
【００２２】
本実施形態１によれば、接触点Ｔ１０又は接触点Ｔ１２の移動に応じてページＰがめくられ、停止した接触点Ｔ１０と異なる接触点Ｔ１２の移動に応じてめくり速度Ｖ１０からめくり速度Ｖ１２へ変更される。従って、ユーザーは、表示部２１０の表示面上で指を動かすことでページＰをめくり、表示部２１０の表示面上で使用する指を変更することによってめくり速度を変更できる。その結果、実空間に存在する書籍のページをめくるような操作感をユーザーに提供しつつ電子書籍２０の複数のページＰの中から目的のページＰを捜す際のユーザーの負担を軽減できる。
【００２３】
［閲覧モード及び検索モードの詳細］
図２及び図３を参照して、閲覧モード及び検索モードの詳細を説明する。詳細な説明に先立って、図２及び図３に示されるＸＹ座標系を説明する。Ｘ軸は表示部２１０の表示面の長辺と平行であり、Ｙ軸は表示部２１０の表示面の短辺と平行である。接触点は位置座標（Ｘ，Ｙ）によって表される。本実施形態１において、接触点の移動量は、接触点の移動ベクトルのＸ成分の大きさである。ただし、接触点の移動量は、接触点の移動ベクトルの大きさ（Ｘ2＋Ｙ2）1/2であってもよい。本実施形態１において接触点の移動方向は、接触点の移動ベクトルのＸ成分の向きである。ただし、接触点の移動方向は、接触点の移動ベクトルの向きであってもよいし、接触点の移動ベクトルのＹ成分の向きであってもよい。ユーザーは、右手の人差し指Ｆ１と親指Ｆ２とを使用してタッチパネル２２０を操作する。従って、１つ又は２つの接触点がタッチパネル２２０によって検出される。実施形態１では、複数の電子書籍から１つの電子書籍２０を選択すると、選択された電子書籍２０が表示部２１０に表示される。
【００２４】
図２（ａ）に示すように、初期状態では、モードは閲覧モードである。初期状態の閲覧モードでは、複数のページＰから第１ページ（最初のページ）に対応するページＰ及び第２ページに対応するページＰが選択される。選択は表示制御部１００により実行される。そして、表示部２１０には、選択された２つのページＰが見開き状態で表示される。２つのページＰは、表示面に対して平行な状態で表示される。ユーザーはタッチパネル２２０にタッチしていない。従って、タッチパネル２２０は、接触点を検出していない。
【００２５】
図２（ｂ）に示すように、ユーザーは、人差し指Ｆ１でタッチパネル２２０をタッチする。従って、閲覧モードにおいて、タッチパネル２２０は、人差し指Ｆ１に対応する接触点Ｔ１０を検出する。表示制御部１００は、閲覧モードにおいてタッチパネル２２０が接触点Ｔ１０の移動を検出したことに応じて、ページＰを昇順方向Ｃ１にめくる。本実施形態１では、閲覧モードにおいて、表示制御部１００は、１回の接触点Ｔ１０の移動に対して、表示中の２つのページＰの次の２つのページＰが表示されるようにページＰをめくる。例えば、ユーザーが人差し指Ｆ１を矢印Ａ８の示す方向にスライドさせると、接触点Ｔ１０も矢印Ａ８の示す方向に移動し、第１ページに対応するページＰ及び第２ページに対応するページＰの次に位置する第３ページに対応するページＰ及び第４ページに対応するページＰが表示される。  図２（ｃ）に示すように、表示制御部１００は、閲覧モードにおいてタッチパネル２２０が接触点Ｔ１０を検出した状態から接触点Ｔ１０を検出しない状態への遷移を検出したことに応じて、ページＰをめくることを停止する。つまり、人差し指Ｆ１がタッチパネル２２０から離れると、表示制御部１００はページＰをめくることを停止する。
【００２６】
図２（ｄ）に示すように、ユーザーは、閲覧モードにおいて、人差し指Ｆ１と親指Ｆ２とでタッチパネル２２０をタッチする。従って、閲覧モードにおいて、タッチパネル２２０は、人差し指Ｆ１に対応する接触点Ｔ１０及び親指Ｆ２に対応する接触点Ｔ１２を検出する。表示制御部１００は、閲覧モードにおいてタッチパネル２２０が２つの接触点Ｔ１０及び接触点Ｔ１２を検出したことに応じて、モードを閲覧モードから検索モードへ切り替える。
【００２７】
検索モードへの切り換えに応じて、表示部２１０には、電子書籍２０が起立した状態で表示される。閲覧モードから検索モードへの移行では、電子書籍２０は閉じた状態で表示される。つまり、小口２２は表示されるが、各ページＰに含まれる情報は表示されない。検索モードにおいて、表示制御部１００は、表示部２１０にページＰのページ番号を表示させる。本実施形態１では、電子書籍２０の小口２２に、検索モードへ移行する直前に閲覧モードで表示されていたページＰのページ番号が表示される。検索モードへ移行する直前に閲覧モードで表示されていたページＰが、検索モードでのめくり開始ページになる。
【００２８】
図３（ａ）に示すように、表示制御部１００は、接触点Ｔ１０及び接触点Ｔ１２のうち先に動いた接触点に対応してページＰをめくる。接触点Ｔ１２が接触点Ｔ１０より先に動く例を挙げる。ユーザーは、親指Ｆ２を矢印Ａ１０の示す方向にスライドさせる。従って、検索モードにおいて、タッチパネル２２０は、親指Ｆ２に対応する接触点Ｔ１２の移動を検出する。表示制御部１００は、検索モードにおいてタッチパネル２２０が接触点Ｔ１２の移動を検出したことに応じて、めくり速度Ｖ１０でページＰを降順方向Ｃ２にめくる。この場合、表示制御部１００は、接触点Ｔ１２が移動している間、連続してページＰをめくる。閲覧モードの後の検索モードでは、閲覧モードでページめくりを停止したときに開かれているページＰからページＰがめくられる。
【００２９】
表示制御部１００は、接触点Ｔ１０及び接触点Ｔ１２のうち、先に動いた接触点が静止した後、異なる接触点の移動に対応してページＰをめくる。引き続き、接触点Ｔ１２が静止した後、接触点Ｔ１０が動く例を挙げる。
【００３０】
図３（ｂ）に示すように、ユーザーは、人差し指Ｆ１を矢印Ａ１２の示す方向にスライドさせる。従って、検索モードにおいて、タッチパネル２２０は、人差し指Ｆ１に対応する接触点Ｔ１０の移動を検出する。表示制御部１００は、検索モードにおいてタッチパネル２２０が接触点Ｔ１０の移動を検出したことに応じて、めくり速度Ｖ１２でページＰを降順方向Ｃ２にめくる。この場合、表示制御部１００は、接触点Ｔ１０が移動している間、連続してページＰをめくる。めくり速度Ｖ１２は、接触点Ｔ１２の移動に対応するめくり速度Ｖ１０より小さい。
【００３１】
本実施形態１では、接触点Ｔ１０及び接触点Ｔ１２のうち先に移動した接触点Ｔ１２に対応するめくり速度Ｖ１０を、後に移動した接触点Ｔ１０に対応するめくり速度Ｖ１２よりも大きい値に設定する。
【００３２】
図３（ｃ）に示すように、ユーザーは、目的のページＰを捜し出した場合、人差し指Ｆ１と親指Ｆ２とをタッチパネル２２０から離す。表示制御部１００は、検索モードにおいてタッチパネル２２０が２つの接触点Ｔ１０及び接触点Ｔ１２（複数の接触点）を検出した状態から２つの接触点Ｔ１０及び接触点Ｔ１２を検出しない状態への遷移を検出したことに応じて、ページＰをめくることを停止し、モードを検索モードから閲覧モードへ切り替える。閲覧モードへの切り換えに応じて、表示部２１０には、電子書籍２０が表示面に対して平行な状態で表示される。
【００３３】
検索モードの後の閲覧モードでは、複数のページＰから、検索モードでページめくりを停止したときに開かれていたページＰが選択される。選択は表示制御部１００により実行される。そして、表示部２１０には、選択されたページＰが表示される。ページＰは、表示面に対して平行な状態で表示される。
【００３４】
図３（ｄ）に示すように、ユーザーは、人差し指Ｆ１でタッチパネル２２０をタッチする。タッチパネル２２０は、人差し指Ｆ１に対応する接触点Ｔ１０を検出する。表示制御部１００は、タッチパネル２２０が接触点Ｔ１０の移動を検出したことに応じて、ページＰを昇順方向Ｃ１にめくる。
【００３５】
［表示制御方法］
図４〜図６を参照して、表示装置１０が実行する表示制御方法について説明する。図４〜図６は、表示制御方法を示すフローチャートである。
【００３６】
図４に示すように、ステップＳ１において、表示制御部１００は、モードを閲覧モードに設定する。ステップＳ３において、表示部２１０は、表示制御部１００の制御を受けて、複数のページＰから選択された２つのページＰを表示面に対して平行な状態で表示する。２つのページＰは見開き状態で表示される。例えば、選択される２つのページＰは第１ページ及び第２ページである。ただし、後述する図５のステップＳ４１の後のステップＳ３及び図６のステップＳ４９の後のステップＳ３においては、選択される２つのページＰは、閲覧モードへ切り替えられる直前に検索モードで開かれていた２つのページＰである。
【００３７】
ステップＳ５において、表示制御部１００は、タッチパネル２２０が２つの接触点Ｔ１０及び接触点Ｔ１２を検出したか否かを判定する。ステップＳ５においてＮＯの場合、処理はステップＳ７に進む。ステップＳ５においてＹＥＳの場合、処理はステップＳ１８に進む。この場合、タッチパネル２２０は２つの接触点Ｔ１０及び接触点Ｔ１２を検出している。ステップＳ１８において、表示制御部１００は、モードを閲覧モードから検索モードへ切り替え、処理は図５のステップＳ２７に進む。ステップＳ２７以降の処理については後述する。
【００３８】
ステップＳ７において、表示制御部１００は、タッチパネル２２０が１つの接触点（接触点Ｔ１０又は接触点Ｔ１２）を検出したか否かを判定する。ステップＳ７においてＮＯの場合、処理は再びステップＳ５に進む。つまり、ステップＳ５及びステップＳ７において、表示制御部１００は、タッチパネル２２０が接触点Ｔ１０及び接触点Ｔ１２のいずれも検出しない場合は、見開き状態の２つのページＰを表示面に対して平行な状態で表示し続ける。
【００３９】
ステップＳ７においてＹＥＳの場合、処理はステップＳ９に進む。ステップＳ９において、表示制御部１００は、タッチパネル２２０が検出した接触点Ｔ１０又は接触点Ｔ１２が移動したか否かを判定する。ステップＳ９においてＮＯの場合、処理は再びステップＳ３に進む。ステップＳ９においてＹＥＳの場合、処理はステップＳ１９に進む。
【００４０】
ステップＳ１９において、表示制御部１００は、昇順方向Ｃ１にページＰをめくる。つまり、表示制御部１００は、１つの接触点（接触点Ｔ１０又は接触点Ｔ１２）が移動したことに応じてページＰをめくる。この場合、表示制御部１００は、１回の接触点の移動に対して、表示中の２つのページＰの次の２つのページＰが表示されるようにページＰをめくる。
【００４１】
ステップＳ２１において、表示制御部１００は、接触点が停止したか否かを判定する。ステップＳ２１においてＮＯの場合、処理はステップＳ２１を繰り返す。一方、ステップＳ２１においてＹＥＳの場合、処理はステップＳ５に進む。
【００４２】
図５に示すように、ステップＳ２７において、表示部２１０は、表示制御部１００の制御を受けて、複数のページＰを表示する。具体的には、表示部２１０は、複数のページＰを起立した状態で表示する。ステップＳ４０において、表示制御部１００は、接触点Ｔ１及び接触点Ｔ２が消失したか否か、つまり、タッチパネル２２０が２つの接触点Ｔ１及び接触点Ｔ２を検出した状態から接触点Ｔ１及び接触点Ｔ２を検出しない状態への遷移を検出したか否かを判定する。ステップＳ４０においてＮＯの場合、処理はステップＳ４０を繰り返す。ステップＳ４０においてＹＥＳの場合、処理はステップＳ２９に進む。ステップＳ２９において、表示制御部１００は、タッチパネル２２０が２つの接触点Ｔ１０及び接触点Ｔ１２を検出したか否かを判定する。ステップＳ２９においてＹＥＳの場合、処理はステップＳ３３に進む。ステップＳ２９においてＮＯの場合、処理はステップＳ４０に進む。この場合、タッチパネル２２０は２つの接触点Ｔ１０及び接触点Ｔ１２を検出していない。ステップＳ４１において、表示制御部１００は、モードを検索モードから閲覧モードへ切り替え、処理は図４のステップＳ３に進む。
【００４３】
ステップＳ３３において、表示制御部１００は、タッチパネル２２０が２つの接触点Ｔ１０及び接触点１２のうちいずれかが移動したか否かを検出する。ステップＳ３３においてＮＯの場合、処理は再びステップＳ２７に進む。つまり、接触点Ｔ１０又は接触点Ｔ１２が移動しない場合、表示制御部１００は、表示部２１０に複数のページＰを起立した状態で表示し続ける。ステップＳ３３においてＹＥＳの場合、処理はステップＳ３５に進む。
【００４４】
ステップＳ３５において、表示制御部１００は、ステップＳ３３で移動したと判定した接触点が先に移動した接触点か否かを判定する。ステップＳ３５においてＹＥＳの場合、処理はステップＳ３９に進む。ステップＳ３９において、表示制御部１００は、ページＰのめくり速度をめくり速度Ｖ１０に設定し、処理は図６のステップＳ４２に進む。
【００４５】
一方、ステップＳ３５においてＮＯの場合、処理はステップＳ３７に進む。ステップＳ３７において、表示制御部１００は、ページＰのめくり速度をめくり速度Ｖ１２に設定し、処理は図６のステップＳ４２に進む。めくり速度Ｖ１２はめくり速度Ｖ１０より小さい。
【００４６】
図６に示すように、ステップＳ４２において、表示制御部１００は、図５のステップＳ３９で設定しためくり速度Ｖ１０又は図５のステップＳ３７で設定しためくり速度Ｖ１２で、ページＰをめくる。つまり、表示制御部１００は、２つの接触点Ｔ１０及び接触点Ｔ１２のうちいずれかの接触点が移動したことに応じて降順方向Ｃ２にページＰをめくる。
【００４７】
ステップＳ４３において、表示制御部１００は、接触点が停止したか否かを判定する。ステップＳ４３においてＮＯの場合、処理はステップＳ４２に進む。従って、接触点が移動している間、ページＰがめくられる。一方、ステップＳ４３においてＹＥＳの場合、処理はステップＳ４５に進む。ステップＳ４５において、表示制御部１００は、ページＰをめくることを停止する。つまり、表示制御部１００は、移動した接触点が停止したことに応じてページＰをめくることを停止する。
【００４８】
なお、表示制御部１００は、接触点Ｔ１及び接触点Ｔ２のうち停止した接触点と異なる接触点が移動したことに応じて（図５のステップＳ３５でＮＯ）、接触点が停止する前のめくり速度Ｖ１０と異なるめくり速度Ｖ１２でページＰをめくる（図５のステップＳ３７及び図６のステップＳ４２）。
【００４９】
ステップＳ４７において、表示制御部１００は、接触点Ｔ１及び接触点Ｔ２が消失したか否か、つまり、タッチパネル２２０が２つの接触点Ｔ１及び接触点Ｔ２を検出した状態から接触点Ｔ１及び接触点Ｔ１を検出しない状態への遷移を検出したか否かを判定する。ステップＳ４７においてＮＯの場合、処理は図５のステップＳ２９に進む。ステップＳ４７においてＹＥＳの場合、処理はステップＳ４９に進む。
【００５０】
ステップＳ４９において、表示制御部１００は、モードを検索モードから閲覧モードへ切り替え、処理は図４のステップＳ３に進む。
【００５１】
以上、図１〜図６を参照して説明したように、本実施形態１によれば、接触点Ｔ１０又は接触点Ｔ１２の移動に応じてページＰがめくられる。そして、先に移動した接触点Ｔ１０と異なる接触点Ｔ１２の移動に応じてめくり速度が小さくなる（速度Ｖ１０＞速度Ｖ１２）。従って、ユーザーは、表示面上で指Ｆ１を動かして、大きいめくり速度で目的のページＰの近傍を捜し（大まかな検索の実行）、小さいめくり速度で目的のページＰを特定することができる（ピンポイントでの検索の実行）。その結果、目的のページＰを捜す際のユーザーの負担を軽減できる。
【００５２】
また、本実施形態１によれば、表示制御部１００は、検索モードと閲覧モードとに応じて、モードを切り替える前のめくり方向と異なるめくり方向にページＰをめくる（図２（ｂ）、図３（ａ）、及び図３（ｂ）参照）。従って、ユーザーは、指でモードを切り替えることによって、めくり方向を変更できる。その結果、閲覧モードでは閲覧に適しためくり方向（昇順方向Ｃ１）で電子書籍２０を閲覧でき、検索モードでは検索に適しためくり方向（降順方向Ｃ２）で検索でき、電子書籍２０の扱いが容易になる。
【００５３】
さらに、本実施形態１によれば、閲覧モードにおいて接触点Ｔ１０及び接触点Ｔ１２が検出されたことに応じて、モードが検索モードへ切り替えられる（図２（ｃ）及び図２（ｄ）参照）。従って、ユーザーは、表示部２１０の表示面を複数の指でタッチするだけで、モードを検索モードへ切り替えることができる。そして、ユーザーは、表示部２１０の表示面をタッチしつつ指を移動させることでページＰをめくることができる。その結果、ユーザーは、ページＰを閲覧又は注視する状態からページＰを捜す状態に簡易に移行できる。
【００５４】
さらに、本実施形態１によれば、検索モードにおいて接触点Ｔ１０及び接触点Ｔ１２が消失したことに応じて、モードが閲覧モードへ切り替えられる（図３（ｂ）及び図３（ｃ）参照）。従って、ユーザーは目的のページＰを捜したときに表示部２１０の表示面から複数の指を離すだけで（非タッチ）、ページＰをめくることを停止できると伴に、ページＰを傾斜状態から平行状態に変更できる。その結果、ユーザーは、簡易な操作によって、ページＰを閲覧又は注視し易い状態で表示させることができる。
【００５５】
さらに、本実施形態１によれば、２つの接触点Ｔ１０及び接触点Ｔ１２によってページＰのめくりを制御する。従って、ユーザーは２本の指でページＰのめくりを制御できる。その結果、実空間に存在する書籍のページをめくるような操作感をユーザーに提供できる。
【００５６】
（実施形態２）
図１、及び図７を参照して、本発明の実施形態２に係る画像形成装置５００について説明する。図７は、画像形成装置５００を示すブロック図である。
【００５７】
画像形成装置５００は、制御部１１０、記憶部１２０、原稿搬送部２３０、画像読取部２４０、タッチパネル２２０、表示部２１０、給紙部２５０、搬送部２６０、画像形成部２７０、及び定着部２８０を備える。記憶部１２０は、主記憶装置（例えば、半導体メモリー）及び補助記憶装置（例えば、半導体メモリー、又はハードディスクドライブ）を含む。
【００５８】
制御部１１０は、画像形成装置５００の構成の全体を制御する。具体的には、制御部１１０が、記憶部１２０に格納されたコンピュータープログラムを実行することにより、原稿搬送部２３０、画像読取部２４０、タッチパネル２２０、表示部２１０、給紙部２５０、搬送部２６０、画像形成部２７０、及び定着部２８０を制御する。制御部１１０は、例えば、ＣＰＵ（Ｃｅｎｔｒａｌ  Ｐｒｏｃｅｓｓｉｎｇ  Ｕｎｉｔ）である。タッチパネル２２０は、表示部２１０の表示面上に配置される。
【００５９】
制御部１１０は、実施形態１に係る表示制御部１００として機能する。従って、制御部１１０、表示部２１０、及びタッチパネル２２０は、実施形態１に係る表示装置１０を構成する。記憶部１２０は、複数のページＰ（例えば、電子書籍２０、又は画像群）に対応する画像データを記憶する。
【００６０】
原稿搬送部２３０は、画像読取部２４０に向けて原稿を搬送する。画像読取部２４０は、原稿の画像を読み取って画像データを生成する。給紙部２５０は、給紙カセット及び手差しトレイを含む。給紙カセットはシートを積載する。シートは、例えば、普通紙、再生紙、薄紙、厚紙、又はＯＨＰ（Ｏｖｅｒｈｅａｄ  Ｐｒｏｊｅｃｔｏｒ）シートである。
【００６１】
搬送部２６０は、画像形成部２７０にシートを搬送する。画像形成部２７０は、複数のページＰから選択されたページＰの画像をシートに形成する。ページＰの選択は、タッチパネル２２０を介したユーザーの指示を受けて、制御部１１０が実行する。定着部２８０は、シートに形成された画像をシートに定着させる。
【００６２】
以上、図１及び図７を参照して説明したように、本実施形態２によれば、図１〜図５を参照して説明した実施形態１と同様の表示装置１０を備える。従って、本実施形態２では、実施形態１と同様の効果を奏する。
【００６３】
以上、図１〜図７を参照して、実施形態１及び実施形態２が説明された。ただし、本発明は、上記の実施形態に限られるものではなく、その要旨を逸脱しない範囲で種々の態様において実施することが可能であり、例えば、以下のような変形も可能である。
【００６４】
（１）実施形態１では、接触点が移動したと判定されたことに応じてページＰがめくられた（図４のステップＳ９及び図５のステップＳ３３参照）。ただし、表示制御部１００は、接触点の移動量が閾値以上であると判定したことに応じてページＰをめくることもできる。その結果、ユーザーが意図しない接触点の移動によってページＰがめくられることを防止することができる。
【００６５】
（２）実施形態１では、検索モードにおいて、タッチパネル２２０が２つの接触点を検出することに応じてページＰがめくられた。ただし、タッチパネル２２０が検出する接触点は２つに限定されず、３以上でもよい。従って、例えば、表示制御部１００は、異なる接触点を検出するたびに異なるめくり速度でページＰをめくることもできる。接触点ごとにページＰのめくり速度は異なる。
【００６６】
（３）実施形態１では、ページＰのめくり方向は、閲覧モードにおいて昇順方向Ｃ１であり、検索モードにおいて降順方向Ｃ２であった。ただし、ページＰのめくり方向は、閲覧モードにおいて降順方向Ｃ２であり、検索モードにおいて昇順方向Ｃ１でもよい。
【００６７】
（４）閲覧モードにおいて、タッチパネル２２０が１つの接触点の移動を検出したことに応じて、表示制御部１００は、ページＰをめくることもできる。また、閲覧モードにおいて、平行状態で見開きの２つのページＰを表示したが、平行状態で１つのページＰを表示することもできる。
【００６８】
（５）実施形態１では、初期状態のモードを閲覧モードに設定した。ただし、初期状態のモードを検索モードに設定することもできる。
【００６９】
（６）閲覧モードから検索モードに切り替えられた時のめくり開始ページは、検索モードへ移行する直前に閲覧モードで表示されていたページＰであった（図２（ｄ））。ただし、閲覧モードから検索モードに切り替えられた時のめくり開始ページは、これに限定されず、例えば、電子書籍２０の末尾のページＰ（最終のページＰ）であってもよいし、末尾のページＰ及び末尾のページＰの１つ前のページＰであってもよい。末尾のページＰ、又は末尾のページＰ及び末尾のページＰの１つ前のページＰから検索を開始できるため、後ろのページＰから検索したいユーザーにとって便宜である。
【００７０】
めくり開始ページが末尾のページＰである場合、電子書籍２０の小口２２に、末尾のページＰのページ番号が表示され、めくり開始ページが末尾のページＰ及び末尾のページＰの１つ前のページＰである場合、電子書籍２０の小口２２に、末尾のページＰのページ番号及び末尾のページＰの１つ前のページＰのページ番号が表示される。
【００７１】
例えば、電子書籍２０が第１ページ〜第２００ページを有する場合、めくり開始ページは、第２００ページであってもよいし、第２００ページ及び第１９９ページであってもよい。めくり開始ページが第２００ページである場合、電子書籍２０の小口２２に、ページ番号「２００」が表示され、めくり開始ページが第２００ページ及び第１９９ページである場合、電子書籍２０の小口２２に、ページ番号「２００」及びページ番号「１９９」が表示される。
【産業上の利用可能性】
【００７２】
本発明は、電子書籍を表示する表示装置、及び表示装置を搭載する画像形成装置の分野に利用可能である。
【符号の説明】
【００７３】
１０    表示装置
１００    表示制御部
１１０    制御部
１２０    記憶部
２１０    表示部
２２０    タッチパネル
２３０    原稿搬送部
２４０    画像読取部
２５０    給紙部
２６０    搬送部
２７０    画像形成部
２８０    定着部
５００    画像形成装置
【図１】
2015111394.tif 000003
【図２】
2015111394.tif 000004
【図３】
2015111394.tif 000005
【図４】
2015111394.tif 000006
【図５】
2015111394.tif 000007
【図６】
2015111394.tif 000008
【図７】
2015111394.tif 000009